【手続補正書】
【提出日】平成30年9月25日(2018.9.25)
【手続補正１】
【補正対象書類名】特許請求の範囲
【補正対象項目名】請求項１
【補正方法】変更
【補正の内容】
【請求項１】
コントローラの遠隔操作に従いオーディオ信号を再生し出力するワイヤレススピーカであって、
所定時間内に出力されたオーディオ信号の出力特性を逐次測定する出力特性測定手段と、
前記コントローラから、前記所定時間内に当該コントローラが備えるマイクに入力されたオーディオ信号の入力特性を逐次受信する入力特性受信手段と、
前記出力特性測定手段により測定された最新の出力特性および前記入力特性受信手段により受信された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止する制御手段と、を備える
ことを特徴とするワイヤレススピーカ。
【手続補正２】
【補正対象書類名】特許請求の範囲
【補正対象項目名】請求項５
【補正方法】変更
【補正の内容】
【請求項５】
オーディオ信号を再生し出力するワイヤレススピーカを遠隔操作するコントローラであって、
マイクと、
所定時間内に前記マイクに入力されたオーディオ信号の入力特性を逐次測定する入力特性測定手段と、
前記ワイヤレススピーカから、前記所定時間内に当該ワイヤレススピーカから出力されたオーディオ信号の出力特性を逐次受信する出力特性受信手段と、
前記出力特性受信手段により受信された最新の出力特性および前記入力特性測定手段により測定された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止させるための出力停止指示を前記ワイヤレススピーカに送信する出力停止指示送信手段と、を備える
ことを特徴とするコントローラ。
【手続補正３】
【補正対象書類名】特許請求の範囲
【補正対象項目名】請求項１１
【補正方法】変更
【補正の内容】
【請求項１１】
コンピュータで読み取り可能なプログラムであって、
前記プログラムは、前記コンピュータを、
コントローラの遠隔操作に従いオーディオ信号を再生し出力するワイヤレススピーカとして機能させ、
前記ワイヤレススピーカは、
所定時間内に出力されたオーディオ信号の出力特性を逐次測定する出力特性測定手段と、
前記コントローラから、前記所定時間内に当該コントローラが備えるマイクに入力されたオーディオ信号の入力特性を逐次受信する入力特性受信手段と、
前記出力特性測定手段により測定された最新の出力特性および前記入力特性受信手段により受信された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止する制御手段と、を備える
ことを特徴とするコンピュータで読み取り可能なプログラム。
【手続補正４】
【補正対象書類名】特許請求の範囲
【補正対象項目名】請求項１２
【補正方法】変更
【補正の内容】
【請求項１２】
コンピュータで読み取り可能なプログラムであって、
前記プログラムは、前記コンピュータを、
オーディオ信号を再生し出力するワイヤレススピーカを遠隔操作するコントローラとして機能させ、
前記コントローラは、
マイクと、
所定時間内に前記マイクに入力されたオーディオ信号の入力特性を逐次測定する入力特性測定手段と、
前記ワイヤレススピーカから、前記所定時間内に当該ワイヤレススピーカから出力されたオーディオ信号の出力特性を逐次受信する出力特性受信手段と、
前記出力特性受信手段により受信された最新の出力特性および前記入力特性測定手段により測定された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、前記オーディオ信号の出力を停止させるための出力停止指示を前記ワイヤレススピーカに送信する出力停止指示送信手段と、を備える
ことを特徴とするコンピュータで読み取り可能なプログラム。
【手続補正５】
【補正対象書類名】明細書
【補正対象項目名】０００７
【補正方法】変更
【補正の内容】
【０００７】
上記課題を解決するために、本発明では、ワイヤレススピーカから出力されたオーディオ信号と、ユーザが携帯するコントローラのマイクに入力されたオーディオ信号とを比較し、この比較結果から、ユーザがワイヤレススピーカ周辺から離れたか否かを判断している。そして、リスナーがワイヤレススピーカ周辺から離れたと判断した場合に、ワイヤレススピーカからのオーディオ信号の出力を停止する。
【手続補正６】
【補正対象書類名】明細書
【補正対象項目名】０００８
【補正方法】変更
【補正の内容】
【０００８】
例えば、本発明の一態様は、コントローラの遠隔操作に従いオーディオ信号を再生し出力するワイヤレススピーカであって、
所定時間内に出力されたオーディオ信号の出力特性を逐次測定する出力特性測定手段と、
前記コントローラから、前記所定時間内に当該コントローラが備えるマイクに入力されたオーディオ信号の入力特性を逐次受信する入力特性受信手段と、
前記出力特性測定手段により測定された最新の出力特性および前記入力特性受信手段により受信された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止する制御手段と、を備える。
【手続補正７】
【補正対象書類名】明細書
【補正対象項目名】００１０
【補正方法】変更
【補正の内容】
【００１０】
あるいは、前記出力特性測定手段は、前記所定時間内に前記ワイヤレススピーカから出力されたオーディオ信号の出力波形を前記出力特性として逐次測定し、前記入力特性受信手段は、前記所定時間内に前記コントローラが備えるマイクに入力されたオーディオ信号の入力波形を前記入力特性として逐次受信してもよい。そして、前記判断手段は、前記出力特性測定手段により測定された最新の出力波形に対する前記入力特性受信手段により受信された最新の入力波形の遅延時間が所定時間以上となった場合に、前記リスナーが前記ワイヤレススピーカ周辺から離れたと判断してもよい。
【手続補正８】
【補正対象書類名】明細書
【補正対象項目名】００１１
【補正方法】変更
【補正の内容】
【００１１】
また、本発明の他の態様は、オーディオ信号を再生し出力するワイヤレススピーカを遠隔操作するコントローラであって、
マイクと、
所定時間内に前記マイクに入力されたオーディオ信号の入力特性を逐次測定する入力特性測定手段と、
前記ワイヤレススピーカから、前記所定時間内に当該ワイヤレススピーカから出力されたオーディオ信号の出力特性を逐次受信する出力特性受信手段と、
前記出力特性受信手段により受信された最新の出力特性および前記入力特性測定手段により測定された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、前記オーディオ信号の出力を停止させるための出力停止指示を前記ワイヤレススピーカに送信する出力停止指示送信手段と、を備える。
【手続補正９】
【補正対象書類名】明細書
【補正対象項目名】００１３
【補正方法】変更
【補正の内容】
【００１３】
あるいは、前記入力特性測定手段は、前記所定時間内に前記マイクに入力されたオーディオ信号の入力波形を前記入力特性として逐次測定し、前記出力特性受信手段は、前記所定時間内に前記ワイヤレススピーカから出力されたオーディオ信号の出力波形を前記出力特性として逐次受信してもよい。そして、前記判断手段は、前記出力特性受信手段により受信された最新の出力波形に対する、前記入力特性測定手段により測定された最新の入力波形の遅延時間が所定時間以上となった場合に、前記リスナーが前記ワイヤレススピーカ周辺から離れたと判断してもよい。
【手続補正１０】
【補正対象書類名】明細書
【補正対象項目名】０１３１
【補正方法】変更
【補正の内容】
【０１３１】
例えば、ワイヤレススピーカ１ａにおいて、所定間隔Ｔ１毎に、所定時間Ｔ２内にスピーカ部１０から出力されたオーディオ信号の出力波形を測定して、オーディオコントローラ２ａに送信するとともに、オーディオコントローラ２ａにおいて、所定間隔Ｔ１毎に、所定時間Ｔ２内にマイク部２０に入力されたオーディオ信号の入力波形を測定する。そして、測定した最新の入力波形と、ワイヤレススピーカ１ａから受信した最新の出力波形とを比較し、入力波形の出力波形に対する遅延時間（位相差）が所定時間以上であるか否かに基づいて、このオーディオコントローラ２ａを携帯するリスナーがワイヤレススピーカ１ａの周辺から離れたか否かを判断する。